(57)【要約】【課題】表示パネルの校正機能を有する表示装置において、校正の効果を利用者に視認させやすくする。【解決手段】表示パネルと、前記表示パネルを照光するバックライトと、前記表示パネルを振動させる振動部材と、前記バックライトを制御する制御部と、を有し、前記制御部は、前記振動部材が振動を開始するタイミングを含む所定の期間の少なくとも一部において、前記バックライトの輝度を、前記所定の期間外における輝度よりも高くすることを特徴とする。【選択図】図１
2015100035.tif 000002
【特許請求の範囲】
【請求項１】
表示パネルと、
前記表示パネルを照光するバックライトと、
前記表示パネルを振動させる振動部材と、
前記バックライトを制御する制御部と、を有し、
前記制御部は、前記振動部材が振動を開始するタイミングを含む所定の期間の少なくとも一部において、前記バックライトの輝度を、前記所定の期間外における輝度よりも高くする
ことを特徴とする、表示装置。
【請求項２】
前記制御部は、前記振動部材が振動している間において、前記バックライトの輝度を高くする
ことを特徴とする、請求項１に記載の表示装置。
【請求項３】
前記制御部は、前記振動部材が振動を開始する直前に、前記バックライトの輝度を所定の時間だけ高くする
ことを特徴とする、請求項１に記載の表示装置。
【請求項４】
前記制御部は、前記振動部材が振動を終了した直後に、前記バックライトの輝度を所定の時間だけ高くする
ことを特徴とする、請求項３に記載の表示装置。
【請求項５】
前記制御部は、前記振動部材が振動している間において、前記バックライトを消灯させる
ことを特徴とする、請求項４に記載の表示装置。
【請求項６】
環境光の強さを取得する照度センサをさらに有し、
前記制御部は、前記バックライトの輝度を高くする際の目標輝度を、前記照度センサの出力に基づいて決定する
ことを特徴とする、請求項１から５のいずれか１項に記載の表示装置。
【請求項７】
表示パネルと、前記表示パネルを照光するバックライトと、前記表示パネルを振動させる振動部材と、を有する表示装置の制御方法であって、
前記振動部材を振動させる校正ステップと、
前記振動部材が振動を開始するタイミングを含む所定の期間の少なくとも一部において、前記バックライトの輝度を、前記所定の期間外における輝度よりも高くする輝度変更ステップと、
を含むことを特徴とする、表示装置の制御方法。
【請求項８】
前記輝度変更ステップでは、前記振動部材が振動している間において、前記バックライトの輝度を高くする
ことを特徴とする、請求項７に記載の表示装置の制御方法。
【請求項９】
前記輝度変更ステップでは、前記振動部材が振動を開始する直前に、前記バックライトの輝度を所定の時間だけ高くする
ことを特徴とする、請求項７に記載の表示装置の制御方法。
【請求項１０】
前記輝度変更ステップでは、前記振動部材が振動を終了した直後に、前記バックライトの輝度を所定の時間だけ高くする
ことを特徴とする、請求項９に記載の表示装置の制御方法。
【請求項１１】
前記輝度変更ステップでは、前記振動部材が振動している間において、前記バックライトを消灯させる
ことを特徴とする、請求項１０に記載の表示装置の制御方法。
【請求項１２】
環境光の強さを取得する照度センサをさらに有する表示装置の制御方法であって、
前記輝度変更ステップでは、前記バックライトの輝度を高くする際の目標輝度を、前記照度センサの出力に基づいて決定する
ことを特徴とする、請求項７から１１のいずれか１項に記載の表示装置の制御方法。
【請求項１３】
表示パネルと、
前記表示パネルを振動させる振動部材と、
周期的に画像を取得し、前記取得した画像を前記表示パネルに出力する制御部と、
を有し、
前記制御部は、前記振動部材が振動している期間の少なくとも一部において、前記表示パネルに出力する画像の更新頻度を、前記期間外における更新頻度よりも少なくする
ことを特徴とする、表示装置。
【請求項１４】
前記制御部は、前記振動部材が振動している期間の少なくとも一部において、入力された画像のうち、特定の画像を静止画像として前記表示パネルに繰り返し出力する
ことを特徴とする、請求項１３に記載の表示装置。
【請求項１５】
前記制御部は、一定期間内に入力された複数の画像を解析し、解析結果に基づいて、静止画像として使用する画像を決定する
ことを特徴とする、請求項１４に記載の表示装置。
【請求項１６】
前記制御部は、一定期間内に入力された複数の画像の輝度レベルを画像ごとに算出し、輝度レベルが最も低い画像を静止画像として使用する
ことを特徴とする、請求項１５に記載の表示装置。
【請求項１７】
前記制御部は、一定期間内に入力された複数の画像を周波数領域に変換し、低周波成分を最も多く含む画像を静止画像として使用する
ことを特徴とする、請求項１５に記載の表示装置。
【請求項１８】
前記制御部は、画像の更新頻度を少なくする期間内において、前記表示パネルに表示される画像のコントラストを、当該期間外におけるコントラストよりも高くする処理を行う
ことを特徴とする、請求項１３から１７のいずれか１項に記載の表示装置。
【請求項１９】
前記制御部は、画像の更新頻度を少なくする期間内において、前記表示パネルに表示される画像の彩度を、当該期間外における彩度よりも高くする処理を行う
ことを特徴とする、請求項１３から１７のいずれか１項に記載の表示装置。
【請求項２０】
表示パネルと、前記表示パネルを振動させる振動部材と、を有する表示装置の制御方法であって、
周期的に画像を取得し、前記取得した画像を前記表示パネルに出力する出力ステップと、
前記振動部材を振動させる校正ステップと、
を含み、
前記出力ステップでは、前記振動部材が振動している期間の少なくとも一部において、
前記表示パネルに出力する画像の更新頻度を、前記期間外における更新頻度よりも少なくする
ことを特徴とする、表示装置の制御方法。
【請求項２１】
前記出力ステップでは、前記振動部材が振動している期間の少なくとも一部において、入力された画像のうち、特定の画像を静止画像として前記表示パネルに繰り返し出力する
ことを特徴とする、請求項２０に記載の表示装置の制御方法。
【請求項２２】
前記出力ステップでは、一定期間内に入力された複数の画像を解析し、解析結果に基づいて、静止画像として使用する画像を決定する
ことを特徴とする、請求項２１に記載の表示装置の制御方法。
【請求項２３】
前記出力ステップでは、一定期間内に入力された複数の画像の輝度レベルを画像ごとに算出し、輝度レベルが最も低い画像を静止画像として使用する
ことを特徴とする、請求項２２に記載の表示装置の制御方法。
【請求項２４】
前記出力ステップでは、一定期間内に入力された複数の画像を周波数領域に変換し、低周波成分を最も多く含む画像を静止画像として使用する
ことを特徴とする、請求項２２に記載の表示装置の制御方法。
【請求項２５】
前記出力ステップでは、画像の更新頻度を少なくする期間内において、前記表示パネルに表示される画像のコントラストを、当該期間外におけるコントラストよりも高くする処理を行う
ことを特徴とする、請求項２０から２４のいずれか１項に記載の表示装置の制御方法。
【請求項２６】
前記出力ステップでは、画像の更新頻度を少なくする期間内において、前記表示パネルに表示される画像の彩度を、当該期間外における彩度よりも高くする処理を行う
ことを特徴とする、請求項２０から２４のいずれか１項に記載の表示装置の制御方法。
【発明の詳細な説明】
【技術分野】
【０００１】
本発明は、パネル校正機能を有する表示装置に関する。
【背景技術】
【０００２】
液晶ディスプレイや有機ＥＬ（Electro Luminescence）ディスプレイといった、近年普及している表示装置には、ガラス基板や偏光板等といった光学部材が使用されている。これらの光学部材は、図１６に示すように、自重によって物理的な応力が掛ることで反りやたわみが発生する。
また、製造時のバリによって、図１６の符号１で示した部分（光学部材の切断面と固定部との接触部分）に摩擦力が生ずることがある。この結果、符号２で示した部分（光学部材の面と固定部の接触部分）に、反りやたわみが発生したままとなり、光学的な変化が生じてしまう。例えば、図１６の例では、符号３で示した部位に表示ムラが発生し、色再現性や均一性が損なわれてしまうおそれがある。
【０００３】
この問題を解決するため、ディスプレイの内部に振動部材を設け、光学部材に振動を加えることで反りやたわみを解消する技術が考案されている。例えば、図１７のように、固定部材に隣接した振動部材を振動させることで、符号４で示した部分に反発力を生じさせる。この結果、光学部材に生じた反りやたわみが緩和し、表示ムラを改善することができる。このような機能をパネル校正機能と呼ぶ。
例えば、特許文献１には、これに類似する機構として、内蔵された光学部材を振動させることで画質を回復させるカメラが記載されている。
【先行技術文献】
【特許文献】
【０００４】
【特許文献１】特許第４２８２２２６号公報
【発明の概要】
【発明が解決しようとする課題】
【０００５】
特許文献１に記載の技術を表示装置に適用することで、表示パネルに発生した表示ムラを改善することができる。しかし、表示装置の状態や、出力中の画像によっては、発生した表示ムラが目立たない場合があり、このような場合、表示ムラが解消したか否かを利用者が十分に確認することができない。
この課題を解決するためには、表示パネルの校正を行う際に、表示パネル上に発生した表示ムラを利用者に視認させやすくする制御を行う必要がある。
【０００６】
本発明は、このような従来技術の課題に鑑みてなされたものであり、表示パネルの校正機能を有する表示装置において、校正の効果を利用者に視認させやすくする技術を提供することを目的とする。
【課題を解決するための手段】
【０００７】
上記課題を解決するために、本発明の第一の形態に係る表示装置は、
表示パネルと、前記表示パネルを照光するバックライトと、前記表示パネルを振動させる振動部材と、前記バックライトを制御する制御部と、を有し、前記制御部は、前記振動部材が振動を開始するタイミングを含む所定の期間の少なくとも一部において、前記バックライトの輝度を、前記所定の期間外における輝度よりも高くすることを特徴とする。
【０００８】
また、本発明の第一の形態に係る表示装置の制御方法は、
表示パネルと、前記表示パネルを照光するバックライトと、前記表示パネルを振動させる振動部材と、を有する表示装置の制御方法であって、前記振動部材を振動させる校正ステップと、前記振動部材が振動を開始するタイミングを含む所定の期間の少なくとも一部において、前記バックライトの輝度を、前記所定の期間外における輝度よりも高くする輝度変更ステップと、を含むことを特徴とする。
【０００９】
また、本発明の第二の形態に係る表示装置は、
表示パネルと、前記表示パネルを振動させる振動部材と、周期的に画像を取得し、前記取得した画像を前記表示パネルに出力する制御部と、を有し、前記制御部は、前記振動部材が振動している期間の少なくとも一部において、前記表示パネルに出力する画像の更新頻度を、前記期間外における更新頻度よりも少なくすることを特徴とする。
【００１０】
また、本発明の第二の形態に係る表示装置の制御方法は、
表示パネルと、前記表示パネルを振動させる振動部材と、を有する表示装置の制御方法であって、周期的に画像を取得し、前記取得した画像を前記表示パネルに出力する出力ステップと、前記振動部材を振動させる校正ステップと、を含み、前記出力ステップでは、前記振動部材が振動している期間の少なくとも一部において、前記表示パネルに出力する画像の更新頻度を、前記期間外における更新頻度よりも少なくすることを特徴とする。
【発明の効果】
【００１１】
本発明によれば、表示パネルの校正機能を有する表示装置において、校正の効果を利用者に視認させやすくすることができる。
【図面の簡単な説明】
【００１２】
【図１】第一の実施形態に係る表示装置の構成を示す図。
【図２】第一の実施形態に係る表示装置の処理フローチャート図。
【図３】第一の実施形態におけるバックライトの輝度を表すタイムチャート。
【図４】第二の実施形態に係る表示装置の処理フローチャート図。
【図５】第二の実施形態におけるバックライトの輝度を表すタイムチャート。
【図６】第三の実施形態に係る表示装置の構成を示す図。
【図７】第三の実施形態に係る表示装置の処理フローチャート図。
【図８】第三の実施形態におけるバックライトの輝度を表すタイムチャート。
【図９】第四の実施形態に係る表示装置の構成を示す図。
【図１０】第四の実施形態に係る表示装置の処理フローチャート図。
【図１１】第四の実施形態におけるバックライトの輝度決定方法を説明する図。
【図１２】第五の実施形態に係る表示装置の構成を示す図。
【図１３】第五の実施形態に係る表示装置の処理フローチャート図。
【図１４】第六の実施形態に係る表示装置の処理フローチャート図。
【図１５】第七の実施形態に係る表示装置の構成を示す図。
【図１６】光学部材の反りを説明するための図。
【図１７】振動による光学部材の反り補正を説明するための図。
【発明を実施するための形態】
【００１３】
以下、図面を参照しながら、本発明の実施形態を詳細に説明する。なお、各実施形態において符号の百の位のみが異なる構成要素は、基本的に同様の機能を提供するものであるため、相違点以外についての詳細な説明は省略する。
【００１４】
（第一の実施形態）
第一の実施形態に係る表示装置は、振動によって液晶パネル（以下、表示パネル）の校正を行う機能を有する表示装置であって、振動を開始するタイミングの前後でバックライ
トの輝度を一時的に変更することで、表示ムラの視認性を向上する表示装置である。
なお、表示ムラとは、表示パネルの反りやたわみに起因して、表示色や明るさが不均一になることを指す。例えば、表示パネルが歪むことでバックライトの光が漏れ、部分的に明るく見える領域が生じてしまう。
【００１５】
まず、図１を参照しながら、第一の実施形態に係る表示装置１００の構成を説明する。本実施形態に係る表示装置１００は、画像表示部１０１、映像制御部１０２、バックライト１０３、ＢＬ制御部１０４、振動部１０５、振動制御部１０６、制御部１０７を有している。
【００１６】
画像表示部１０１は、表示パネルとその制御回路からなり、入力された画像を表示する手段である。表示パネルは、液晶パネルであってもよいし、有機ＥＬパネルなどであってもよい。
映像制御部１０２は、外部から取得した映像信号を画像表示部１０１に出力する手段である。具体的には、外部から映像信号を周期的に取得し、拡大縮小処理、輝度調整処理、色処理などを行ったのちに、既定のリフレッシュレート（例えば６０Ｈｚ）に対応する周期で、処理後の画像を出力する。
【００１７】
バックライト１０３は、電圧を印加することで発光するユニットであり、液晶パネルや拡散板などの光学部材に対して照光を行う手段である。バックライトの発光部材には、主に冷陰極管（ＣＣＦＬ）や発光ダイオード（ＬＥＤ）などが利用される。また、バックライト方式には、直下型、エッジライト型など複数の方式があるが、本発明はどのような光源および方式にも適用することができる。
また、ＢＬ制御部１０４は、バックライト１０３を制御する手段である。例えば、バックライトのオン／オフや、バックライトが発光する際の輝度を制御することができる。
【００１８】
振動部１０５は、表示パネルを振動させるための手段であり、典型的には重心をずらした重りを回転軸に取り付けたモータ（すなわちバイブレータ）である。振動部１０５は、電圧を印加することで回転し、振動を発生させることができる。振動部１０５は、表示パネルの近傍、特に、反りやたわみが発生しやすい部分の近傍に配置されることが好ましい。
また、振動制御部１０６は、後述する構成制御部１０７からパネル校正の実施指示を取得し、振動部１０５に印加する電圧を制御することで表示パネルの校正を行う手段である。本実施形態では、表示パネルの校正とは、振動部１０５を振動させることで表示パネルの一部に振動を加える動作を指す。
【００１９】
制御部１０７は、本実施形態に係る表示装置１００のパネル校正動作を司る手段であり、具体的には、表示パネルの校正開始指示を取得する処理と、当該指示に基づいて、振動制御部１０６を介して振動部１０５を振動させ、表示パネルを校正する処理を行う。
また、制御部１０７は、表示パネルの校正を行う際に、ＢＬ制御部１０４を介してバックライトの輝度を変更する処理と、映像制御部１０２を介して、画像表示部１０１に校正用の画像を出力する処理を行う。なお、校正用の画像とは、本実施形態では、全画面均一の単一色画像（以下、全画面単色画像）であるものとする。
【００２０】
次に、制御部１０７が行う表示パネル校正処理の具体的な内容について、処理フローチャートである図２を参照しながら説明する。図２に示した処理は、筐体に設けられた校正ボタン（不図示）を利用者が押下することによって開始される。
【００２１】
まず、ステップＳ１１で、制御部１０７が、映像制御部１０２に対して、全画面単色画像を表示パネルに出力するよう指示し、映像制御部１０２が、全画面単色画像を画像表示
部１０１に出力する。ここで出力される画像は、各画素のＲＧＢ明度が全て０の画像（すなわち黒色で塗りつぶされた画像）である。全画面単色画像を出力している間は、映像制御部１０２に入力された映像信号は破棄される。
次に、ステップＳ１２で、制御部１０７が、ＢＬ制御部１０４に対して、バックライトの輝度を最大にするよう指示し、ＢＬ制御部１０４が、バックライト１０３に供給する電流を最大まで上げる。
次に、ステップＳ１３で、制御部１０７が、振動制御部１０６に対して、表示パネルの校正を指示する。これにより、振動制御部１０６が、振動部１０５に所定の時間（例えば１０秒間）だけ電圧を供給し、表示パネルの校正が実施される。
次に、ステップＳ１４で、制御部１０７が、ＢＬ制御部１０４に対して、バックライトの輝度を元に戻すよう指示する。これにより、バックライト１０３に供給される電流が、ステップＳ１２を実行する直前の値に戻される。
次に、ステップＳ１５で、制御部１０７が、映像制御部１０２に対して、パネル校正処理の終了を通知する。これにより、映像制御部１０２が、全画面単色画像の出力を中止し、入力された映像信号の処理を再開する。
【００２２】
ここで、表示パネルの校正中におけるバックライトの輝度の変化について、タイムチャートである図３を参照しながら説明する。
利用者が表示パネル校正の開始を指示する前の期間（符号３１）では、表示パネルには外部から入力された映像信号に対応する画像が表示されており、バックライトはデフォルトの輝度で発光している。
振動部１０５が振動中の期間（符号３２）では、表示パネルには黒色の画像が表示され、バックライトは最大輝度で点灯している。すなわち、表示パネルに発生した表示ムラ（バックライトの光漏れ等）が最も観察しやすい状態となる。当該期間では、加えられた振動によって表示パネルが校正されていくため、利用者は、濃淡の分布が徐々に均されていく様子を視認することができる。
パネルの校正が終了した後（符号３３）は、表示パネルには外部から入力された映像信号に対応する画像が表示され、バックライトはデフォルトの輝度で発光する。
【００２３】
以上説明したように、第一の実施形態に係る表示装置は、表示パネルの校正を実施している間に、単一色の画像を表示するとともに、バックライトの輝度を最大にする制御を行う。これにより、表示ムラの視認性を向上させることができ、校正によって表示ムラが解消したことを利用者が確認することができる。
【００２４】
なお、本実施形態では、バックライトの輝度を最大にした直後にパネルの校正を開始したが、バックライトの輝度変更と振動開始は必ずしも同時期でなくてもよい。例えば、ステップＳ１２とＳ１３の間、または、ステップＳ１３とＳ１４の間にウェイトを挿入し、利用者に表示ムラの有無を確認させる期間を設けるようにしてもよい。
【００２５】
（第二の実施形態）
第一の実施形態では、表示パネルの校正中にバックライトの輝度を最大にする制御を行った。これに対し、第二の実施形態は、校正を開始する直前にバックライトの輝度を最大にし、輝度を元に戻した後で校正を開始する実施形態である。
第二の実施形態に係る表示装置１００のシステム構成は、第一の実施形態と同様であり、バックライトの制御方法のみが相違するため、システム構成図は図示せず、当該相違点のみについて説明する。
【００２６】
第二の実施形態における制御部１０７が、表示パネルの校正を実行する処理について、処理フローチャートである図４を参照しながら説明する。図４に示した処理は、筐体に設けられた校正ボタン（不図示）を利用者が押下することによって開始される。
【００２７】
ステップＳ２１およびＳ２２の処理は、第一の実施形態におけるステップＳ１１およびＳ１２と同様であるため、説明は省略する。
次に、ステップＳ２３で、制御部１０７が、ＢＬ制御部１０４に対して、バックライトの輝度を一定時間かけて元に戻すよう指示する。これにより、バックライト１０３に供給される電流が、ステップＳ２２を実行する直前の値に戻される。
ステップＳ２４およびＳ２５の処理は、第一の実施形態におけるステップＳ１４およびＳ１５と同様であるため、説明は省略する。
【００２８】
ここで、第二の実施形態におけるバックライトの輝度の変化について、タイムチャートである図５を参照しながら説明する。
利用者がパネル校正の開始を指示する前の期間（符号５１）では、表示パネルには外部から入力された映像信号に対応する画像が表示されており、バックライトはデフォルトの輝度で発光している。
利用者がパネル校正の開始を指示してから振動を開始する前までの期間（符号５２）では、表示パネルには黒色の画像が表示され、バックライトが最大輝度で点灯したのち、輝度が徐々に元に戻る。この間に、利用者は表示ムラの分布を視認し、記憶することができる。
振動を開始してから終了するまでの期間（符号５３）では、表示パネルには黒色の画像が表示され、バックライトはデフォルトの輝度で発光している。利用者は符号５２の期間で表示ムラの分布を確認しているため、当該分布を意識しながら確認を行うことができる。すなわち、バックライトの輝度が最大でなくても、表示ムラが振動により徐々に均されていく様子を認識することができる。
パネルの校正が終了した後（符号５４）は、表示パネルには外部から入力された映像信号に対応する画像が表示される。
【００２９】
以上説明したように、第二の実施形態では、表示パネルの校正を開始する直前に一時的にバックライトの輝度を上げる。これにより、表示ムラの視認性を向上させることができ、校正によって表示ムラが解消したことを確認することができる。
【００３０】
（第三の実施形態）
第三の実施形態は、表示パネルの校正を開始する直前と、校正を終了した直後にバックライトの輝度を最大にし、校正中にバックライトを消灯する実施形態である。また、バックライトのローカルディミング制御を行う実施形態である。
【００３１】
第三の実施形態に係る表示装置３００のシステム構成を図６に示す。第三の実施形態に係る表示装置３００は、バックライト３０３が複数のＬＥＤからなり、個々のＬＥＤに流す電流量を調整することで、輝度に分布を与えることができるという点において第一の実施形態と相違する。当該制御のことをローカルディミング制御と呼ぶ。
具体的には、映像制御部３０２が、出力する映像に合わせて、ローカルディミング制御を行うための情報をＢＬ制御部３０４に送信し、ＢＬ制御部３０４が当該情報に基づいてバックライト３０３の輝度分布を制御する。ローカルディミング制御は既知の技術であるため、詳細な説明は省略する。
また、制御部３０７が行うバックライトの制御方法が相違する。
【００３２】
次に、第三の実施形態における制御部３０７が、表示パネルの校正を実行する処理について、処理フローチャートである図７を参照しながら説明する。図７に示した処理は、筐体に設けられた校正ボタン（不図示）を利用者が押下することによって開始される。
【００３３】
ステップＳ３１の処理は、第一の実施形態におけるステップＳ１１と同様であるため、
説明は省略する。
次に、ステップＳ３２で、制御部３０７が、ＢＬ制御部３０４に対して、バックライトの輝度を最大にしたのち、一定時間後に消灯させるよう指示する。これにより、バックライト３０３に供給される電流が最大になり、一定時間後に遮断される。
ステップＳ３３の処理は、第一の実施形態におけるステップＳ１３と同様であるため、説明は省略する。
次に、ステップＳ３４で、制御部３０７が、ＢＬ制御部３０４に対して、バックライトの輝度を最大にしたのち、一定時間後に元に戻すよう指示する。これにより、バックライト３０３に供給される電流が最大になり、その後、ステップＳ３２を実行する直前の値に戻される。
ステップＳ３５の処理は、第一の実施形態におけるステップＳ１５と同様であるため、説明は省略する。
【００３４】
ここで、第三の実施形態におけるバックライトの輝度の変化について、タイムチャートである図８を参照しながら説明する。
利用者がパネル校正の開始を指示する前の期間（符号８１）では、表示パネルには外部から入力された映像信号に対応する画像が表示されており、バックライトの輝度はローカルディミングによって制御される。
利用者がパネル校正の開始を指示してから振動を開始する前までの期間（符号８２）では、表示パネルには黒色の画像が表示され、バックライトが最大輝度で点灯する。この間に、利用者は表示ムラの分布を視認し、記憶することができる。
振動を開始してから終了するまでの期間（符号８３）では、バックライトが消灯する。
パネルの校正が終了した直後の期間（符号８４）では、バックライトが最大輝度で点灯する。この間に、利用者は表示ムラが解消したことを確認することができる。
パネルの校正が終了した後（符号８５）は、表示パネルには外部から入力された映像信号に対応する画像が表示され、バックライトのローカルディミング制御が再開される。
【００３５】
以上説明したように、第三の実施形態では、表示パネルの校正を行う直前と直後に一時的にバックライトの輝度を最大にし、校正中にバックライトを消灯する。本実施形態では、利用者が校正中に表示ムラの変動を視認することがないため、振動の前後で表示ムラがどのように変わったかを、よりはっきりと認識することができる。
【００３６】
（第四の実施形態）
第一の実施形態では、表示パネルの校正中において、バックライトの輝度を最大にする制御を行った。これに対し、第四の実施形態は、校正中におけるバックライトの目標輝度を、装置周辺の明るさを考慮して決定する実施形態である。
【００３７】
第四の実施形態に係る表示装置４００のシステム構成を図９に示す。第四の実施形態に係る表示装置４００は、周囲の環境光の強さを検知する手段である照度センサ部４０８を有しており、制御部４０７が、当該環境光の強さに応じて校正中におけるバックライトの輝度を決定するという点において第一の実施形態と相違する。
【００３８】
照度センサ部４０８は、装置周辺の環境光の強さに応じて出力する電圧が変化する光センサを有しており、当該光センサの出力電圧をデジタル信号に変換し、変換後の値（以下、環境光値）を取得する手段である。光センサは、例えば液晶表示装置の正面に取り付けられている。
【００３９】
次に、本実施形態に係る表示装置４００が、表示パネルの校正を実行する処理について、処理フローチャートである図１０を参照しながら説明する。図１０に示した処理は、筐体に設けられた校正ボタン（不図示）を利用者が押下することによって開始される。
【００４０】
ステップＳ４１の処理は、ステップＳ１１と同様であるため説明は省略する。
次に、ステップＳ４２で、制御部４０７が、照度センサ部４０８から環境光値を取得し、ステップＳ４３で、制御部４０７が、取得した環境光値に基づいて、校正中におけるバックライトの輝度（以下、最適輝度）を決定する。
【００４１】
ここで、バックライトの最適輝度を決定する方法について、具体的に説明する。
本実施形態では、ＢＬ制御部４０４が、バックライトの輝度値を０〜１０００の範囲で調整可能であるものとし、照度センサ部４０８は、環境光値を０〜１０００の範囲で取得可能であるものとする。
【００４２】
本実施形態では、構成制御部４０７が、環境光値と最適輝度との対応を表す情報（以下、輝度決定情報）を記憶しており、当該情報を用いてバックライトの最適輝度を決定する。
輝度決定情報の例を図１１（Ａ）に示す。輝度決定情報は、環境光に応じた最適なバックライト輝度が事前に定義された情報である。例えば、環境光値が１００である場合、最適輝度は７００となる。この値は、表示ムラの視認にとって明るすぎず、暗すぎない値であることが好ましい。
また、環境光値が例示した以外の値である場合、線形補完を用いて最適輝度を決定する。例えば、環境光値が２００であった場合、以下の計算式によって最適輝度を決定する。
７００＋（２００−１００）／（３００−１００）×（８５０−７００）＝７７５
この他にも、環境光値を入力として、最適輝度を出力するような関数を記憶させ、演算によって最適輝度を求めるようにしてもよい。
なお、本ステップで決定した最適輝度が現在の輝度を下回る場合、処理を中止してもよいし、最適輝度ではなく最大輝度を用いて処理を続行するようにしてもよい。また、利用者に動作を選択させるようにしてもよい。
【００４３】
ステップＳ４４〜Ｓ４６の処理は、ステップＳ１３〜Ｓ１５の処理と同様であるため、説明を省略する。
また、本実施形態における、パネル校正中のバックライトの輝度の変化は、最大輝度が最適輝度に置き換わるという点を除いて第一の実施形態（図３）と同一である。
【００４４】
（第一ないし第四の実施形態の効果および変形例）
以上説明したように、第一ないし第四の実施形態では、振動部が振動を開始するタイミングを含む所定の期間内のいずれかのタイミングにおいて、バックライトの発光輝度を高くすることで、表示ムラの視認性を向上させることができる。
なお、所定の期間とは、利用者が表示ムラを確認するのに好ましい期間であれば、どのような期間であってもよい。例えば、振動開始前の３秒間と、振動開始後の２秒間の計５秒間に含まれるいずれかの時刻において、バックライトの輝度が高くなるように制御してもよい。
また、輝度を高くする際の目標輝度値は、所定の期間外における輝度（通常輝度）よりも高い値であれば、例示した値以外を用いてもよい。
【００４５】
また、第一ないし第四の実施形態では、全画面単色画像を表示することで表示パネルの透過率を下げたが、他の方法によって、または、他の方法を併用することで透過率を下げるようにしてもよい。例えば、画像や表示パネルの明度、コントラスト、彩度等を変更するようにしてもよい。
また、第一ないし第四の実施形態では、バックライトに流れる電流値を変更することで輝度を変更したが、バックライトのデューティー比（制御周期における点灯期間の割合）を変更することで輝度を変更してもよい。
また、第一ないし第四の実施形態では、液晶表示装置を例に説明を行ったが、各実施形態は、バックライト光源の前面に光学部材（例えば、ガラス基板や薄膜トランジスタ）を有する表示装置であれば、どのような表示装置にも適用することができる。
【００４６】
（第五の実施形態）
第五〜第七の実施形態に係る表示装置は、振動によって表示パネルの校正を行う機能を有する表示装置であるが、バックライトの輝度を変更するのではなく、表示される画像の更新頻度を少なくすることで表示ムラの視認性を向上させる表示装置である。
なお、「更新頻度を少なくする」とは、必ずしも画面のリフレッシュレートを低下させる必要はなく、表示パネルに表示される画像の単位時間あたりの見かけ上の更新回数を少なくできればよい。例えば、画面のリフレッシュレートを低下させることで実現してもよいし、リフレッシュレートを変更せずに、同一の画像を繰り返し出力することで実現してもよい。
【００４７】
第五の実施形態は、表示パネルの校正中に画像の更新を停止し、特定のフレームの画像を繰り返し出力することで静止画像を表示させる実施形態である。
図１２を参照しながら、第五の実施形態に係る表示装置の構成を説明する。本実施形態に係る表示装置５００は、画像表示部５０１、映像制御部５０２、バックライト５０３、ＢＬ制御部５０４、振動部５０５、振動制御部５０６、制御部５０７、フレームメモリ５０８を有している。
画像表示部５０１、バックライト５０３、ＢＬ制御部５０４、振動部５０５、振動制御部５０６については、第一の実施形態と同様であるため説明は省略する。また、制御部５０７は、バックライトの輝度を変更する機能を有していないという点を除き、第一の実施形態と同様である。
【００４８】
映像制御部５０２は、外部から映像信号を取得し、画像表示部５０１に適合する解像度および色数の画像に変換する手段である。これにより、画像を所定のリフレッシュレート（例えば６０Ｈｚ、４８Ｈｚ）で出力することができる。
また、フレームメモリ５０８は、画像表示部５０１に出力する画像を一時的に記憶するメモリである。
【００４９】
次に、第五の実施形態に係る表示装置５００が、表示パネルの校正を実行する処理について、処理フローチャートである図１３を参照しながら説明する。
まず、ステップＳ５１で、制御部５０７が、映像制御部５０２に対して、画像の更新を停止させる要求（以下、静止画表示要求）を送信する。映像制御部５０２は、静止画表示要求を受信すると、取得した一フレーム分の画像をフレームメモリ５０８に格納し、当該格納された画像をリフレッシュレート毎に読み出し、画像表示部５０１へ送信する。すなわち、同じ画像を繰り返し画像表示部５０１に送信するため、表示される画像が静止画像となる。
【００５０】
ステップＳ５２の処理は、第一の実施形態におけるステップＳ１２と同様であるため、説明は省略する。
次に、ステップＳ５３で、制御部５０７が、映像制御部５０２に対して、画像の更新を再開する要求を送信する。これにより、映像制御部５０２が、フレームメモリ５０８に格納していた画像を破棄し、入力された映像信号に対応する画像を順次表示する。
【００５１】
以上説明したように、第五の実施形態によると、表示パネルの校正中において、表示パネルに出力される画像を静止画像とすることで、表示ムラの視認性を向上させることができる。
【００５２】
なお、画像を静止状態とする場合、オンスクリーンディスプレイ等を用いて、利用者に画像が静止する旨を通知するようにしてもよいし、映像信号を出力しているコンピュータ等に、同様の通知を行うようにしてもよい。
【００５３】
（第六の実施形態）
第六の実施形態は、表示パネルの校正中にリフレッシュレートを低下させる実施形態である。例えば、入力された映像信号の垂直同期周波数が６０Ｈｚ（厳密には５９．９６４Ｈｚ等であるが、ここでは６０Ｈｚとする）である場合、１秒間の画像更新回数を６０回よりも低い値（例えば６回）にする。本例では、既定のリフレッシュレートが６０Ｈｚであるものとする。
第六の実施形態に係る表示装置のシステム構成は、第五の実施形態と同様であり、リフレッシュレートの制御方法のみが相違するため、システム構成図は図示せず、当該相違点のみについて説明する。
【００５４】
第六の実施形態に係る表示装置５００が、表示パネルの校正を実行する処理について、処理フローチャートである図１４を参照しながら説明する。
まず、ステップＳ６１で、制御部５０７が、映像制御部５０２に対して、画像のリフレッシュレートを低下させる命令を送信する。当該命令によって、例えば、リフレッシュレートが既定値の１／１０（６Ｈｚ）に設定される。
また、リフレッシュレートが変更されている期間においては、映像制御部５０２が、取得した画像を、変更後のリフレッシュレートに対応する周期で（毎秒６回）フレームメモリ５０８に書き込み、同一の周期で読み出して、画像表示部５０１へ送信する。
入力された映像信号（６０Ｈｚ）に対して上記の処理を行うことで、表示パネルに表示される画像は、フレーム数が１／１０に間引かれた画像となる。
【００５５】
ステップＳ６２の処理は、第一の実施形態におけるステップＳ１２の処理と同様であるため、説明は省略する。
【００５６】
表示パネルの校正が終了すると、ステップＳ６３で、制御部５０７が、映像制御部５０２に対して、リフレッシュレートを元に戻す命令を送信する。これにより、映像制御部５０２が、フレームメモリ５０８に格納されているデータを破棄し、既定のリフレッシュレート（６０Ｈｚ）での画像の出力を再開する。
【００５７】
第六の実施形態によると、表示パネルを校正する場合に、リフレッシュレートを低下させることで、画像の更新回数を通常時よりも少なくして表示する。これにより、静止画状態に近づけることができ、表示ムラの視認性を向上させることができる。
【００５８】
（第七の実施形態）
第五の実施形態では、表示パネルの校正中に、画像の更新を停止し、静止画を出力させた。これに対し、第七の実施形態は、一定期間内に入力された複数のフレームに対応する画像をそれぞれ解析し、より表示ムラの改善効果が視認しやすいフレームを選択し、当該フレームに対応する画像を用いて静止画像を表示する実施形態である。
【００５９】
第七の実施形態に係る表示装置７００の構成を図１５に示す。第七の実施形態に係る表示装置７００は、画像を解析する手段である画像解析部７０９をさらに有するという点において第五の実施形態と相違する。
【００６０】
第七の実施形態に係る表示装置７００の処理は、図１３と同様であるが、ステップＳ５１の処理において、一定期間内に入力された複数のフレームから条件を満たすフレームを決定し、当該フレームに対応する画像を静止画として使用するという点において相違する
。以下、ステップＳ５１との相違点について説明する。
【００６１】
映像制御部７０２は、静止画表示要求を受信すると、所定のフレーム数（例えば１８０フレーム）分の画像を取得してフレームメモリ７０８に格納する。そして、映像制御部７０２が、格納した複数の画像に対する解析要求を画像解析部７０９に送信する。
画像解析部７０９は、格納された複数の画像を解析して、画像の平均輝度レベルをそれぞれ算出し、解析結果を映像制御部７０２に送信する。具体的には、最も平均輝度レベルが低い画像を決定し、その識別子を送信する。
そして、映像制御部７０２が、当該識別子に対応する画像をフレームメモリ７０８から取得し、静止画像として用いる。他の処理は、ステップＳ５１と同様である。
【００６２】
第七の実施形態によると、入力された複数の画像の中から最も輝度が低い画像を静止画像として用いるため、表示ムラが最も確認しやすいフレームで画像を静止させることができる。
【００６３】
なお、静止画像として使用する画像は、輝度以外に基づいて決定するようにしてもよい。例えば、各画像を周波数領域に変換し、最も低周波成分を多く含む画像を静止画像として使用するようにしてもよい。このように、表示ムラの確認に適したフレームを特定することができれば、どのような方法を用いてもよい。
また、本実施形態では、静止画像として一つの画像のみを利用したが、複数の画像を利用してもよい。例えば、平均輝度が閾値よりも低い複数のフレームがある場合、当該複数のフレームを繰り返し表示するようにしてもよい。また、画像の出力間隔を長くすることでスロー再生と同じ効果を得られるようにしてもよい。
【００６４】
（第五ないし第七の実施形態の効果および変形例）
以上説明したように、第五ないし第七の実施形態では、振動部材が振動している間において、表示パネルが表示する画像の更新頻度を減少させることで、表示ムラの視認性を向上させることができる。
なお、画像の更新頻度を減少させる期間は、振動部材が振動している期間の少なくとも一部であればよく、好ましくは、表示ムラの解消に必要な時間であればよい。例えば、振動開始のタイミングから１０秒間としてもよい。
また、表示ムラをより視認しやすくするため、表示パネルの校正を行っている間、出力する画像のコントラストや彩度を、校正開始前と比較して高くする制御を行ってもよい。
【００６５】
なお、各実施形態の説明は本発明を説明する上での例示であり、本発明は、発明の趣旨を逸脱しない範囲で適宜変更または組み合わせて実施することができる。
例えば本発明は、上記処理の少なくとも一部を含む表示装置として実施することもできる。また、上記処理の少なくとも一部を含む表示装置の制御方法として実施することもできる。上記処理や手段は、技術的な矛盾が生じない限りにおいて、自由に組み合わせて実施することができる。
【００６６】
また、各実施形態では、液晶ディスプレイを例に説明を行ったが、本発明は、有機ＥＬディスプレイを有する表示装置に適用することもできるし、その他のディスプレイを有する表示装置に適用することもできる。表示パネル、ガラス基板、偏光板等をはじめとする光学部材を有するものであれば、どのような表示装置にも適用することができる。
【符号の説明】
【００６７】
１０１・・・画像表示部、１０３・・・バックライト、１０４・・・ＢＬ制御部、１０５・・・振動部、１０６・・・振動制御部、１０７・・・制御部
【図１】
2015100035.tif 000003
【図２】
2015100035.tif 000004
【図３】
2015100035.tif 000005
【図４】
2015100035.tif 000006
【図５】
2015100035.tif 000007
【図６】
2015100035.tif 000008
【図７】
2015100035.tif 000009
【図８】
2015100035.tif 000010
【図９】
2015100035.tif 000011
【図１０】
2015100035.tif 000012
【図１１】
2015100035.tif 000013
【図１２】
2015100035.tif 000014
【図１３】
2015100035.tif 000015
【図１４】
2015100035.tif 000016
【図１５】
2015100035.tif 000017
【図１６】
2015100035.tif 000018
【図１７】
2015100035.tif 000019